(57)【要約】【課題】できるだけ簡単な構造を有する赤外線放射に対するリフレクタ及び赤外線ランプを提供することである。【解決手段】上記課題は、陽極処理アルミニウムから成る少なくとも１つの層を有する赤外線放射に対するリフレクタにおいて、この少なくとも１つの層は黒くされたアルマイト層であることによって解決され、さらに上記課題は、放射源としてハロゲングローランプ及びリフレクタを有する赤外線ランプにおいてリフレクタには少なくとも１つの黒くされたアルマイト層が設けられていることによって解決される。【選択図】図１
2005084677.tif 000002
【特許請求の範囲】
【請求項１】
陽極処理アルミニウム（anodized aluminum）から成る少なくとも１つの層を有する赤外線放射に対するリフレクタにおいて、
前記少なくとも１つの層は黒くされたアルマイト（Eloxal）層（６１）である、陽極処理アルミニウムから成る少なくとも１つの層を有する赤外線放射に対するリフレクタ。
【請求項２】
リフレクタはアルミニウムリフレクタ（６）であり、該アルミニウムリフレクタ（６）の表面上にはアルマイト層（６１）が設けられていることを特徴とする、請求項１記載のリフレクタ。
【請求項３】
黒くされたアルマイト層（６１）の上には透明な、赤外線放射を反射する干渉フィルタ（６２）が設けられていることを特徴とする、請求項１記載のリフレクタ。
【請求項４】
放射源としてハロゲングローランプ（１）及びリフレクタ（６）を有する赤外線ランプにおいて、
リフレクタ（６）には少なくとも１つの黒くされたアルマイト層（６１）が設けられていることを特徴とする、放射源としてハロゲングローランプ（１）及びリフレクタ（６）を有する赤外線ランプ。
【請求項５】
リフレクタ（６）はアルミニウムから成ることを特徴とする、請求項４記載の赤外線ランプ。
【請求項６】
ハロゲングローランプ（１）のランプ容器には光反射性の及び赤外線放射透過性のコーティング（１３）が設けられていることを特徴とする、請求項４記載の赤外線ランプ。
【請求項７】
リフレクタ開口部には光不透過性カバー（６３）が設けられていることを特徴とする、請求項４記載の赤外線ランプ。
【請求項８】
黒くされたアルマイト層（６１）の上には透明な、赤外線放射を反射する干渉フィルタ（６２）が設けられていることを特徴とする、請求項４記載の赤外線ランプ。
【発明の詳細な説明】
【技術分野】
【０００１】
本発明は、陽極処理アルミニウム（anodized aluminum）から成る少なくとも１つの層を有する赤外線放射に対するリフレクタに関し、さらに放射源としてハロゲングローランプ及びリフレクタを有する赤外線ランプに関する。
【背景技術】
【０００２】
開示文献ＥＰ１０７２８４１Ａ２は放射源としてグローランプ及び放物面リフレクタを有する赤外線ランプを記述しており、この放物面リフレクタは透明に構成されており、赤外線放射を所望の方向に反射する。リフレクタ開口部は光不透過性フィルタディスクによって覆われている。
【特許文献１】ＥＰ１０７２８４１Ａ２
【発明の開示】
【発明が解決しようとする課題】
【０００３】
本発明の課題は、できるだけ簡単な構造を有する赤外線放射に対するリフレクタ及び赤外線ランプを提供することである。
【課題を解決するための手段】
【０００４】
上記課題は、陽極処理アルミニウムから成る少なくとも１つの層を有する赤外線放射に対するリフレクタにおいて、この少なくとも１つの層は黒くされたアルマイト（Eloxal）層であることによって解決され、
さらに上記課題は、放射源としてハロゲングローランプ及びリフレクタを有する赤外線ランプにおいて、
リフレクタには少なくとも１つの黒くされたアルマイト層が設けられていることによって解決される。
【発明を実施するための最良の形態】
【０００５】
本発明のとりわけ有利な実施形態は従属請求項に記述されている。
【０００６】
赤外線放射に対する本発明のリフレクタには本発明によれば少なくとも１つの黒くされたアルマイト層が設けられている。これによって、リフレクタの表面は７８０ｎｍより上の波長領域において赤外線放射に対して高い反射率を持ち、同時に可視スペクトル領域の放射に対する最大抑制が保証される。というのも、黒くされたアルマイト層は光を吸収するように作用するからである。７８０ｎｍの波長では、この黒くされたアルマイト層は５５％の反射率を有し、この反射率は波長が増大すると共に連続的に増加しほぼ１２００ｎｍにおいてアルマイト層に当たる放射の９０％の値になる。本発明のリフレクタはそれゆえ従来の金により被覆された赤外線リフレクタに対するコスト的に有利な代替物を提供する。さらに、本発明のリフレクタは商用のハロゲングローランプと組み合わされて高い効率の赤外線ランプになりうる。というのも、ハロゲングローランプは７８０ｎｍより上の波長領域における赤外線放射の形式でそのエネルギの最大部分を送出し、ハロゲングローランプから放出される光は黒くされたアルマイト層によって大きく吸収されるからである。
【０００７】
７８０ｎｍ〜１２００ｎｍまでの波長領域では、本発明のリフレクタの反射率は有利なやり方では透明な、赤外線放射を反射する干渉フィルタによって高められうる。この干渉フィルタは黒くされたアルマイト層の上に設けられている。このリフレクタはコストの理由から有利にはアルミニウムから成る。
【０００８】
本発明の赤外線ランプは放射源としてハロゲングローランプ及び少なくとも１つの黒くされたアルマイト層を有するリフレクタを有する。黒くされたアルマイト層によって、リフレクタの表面は７８０ｎｍより上の波長領域において赤外線放射に対して高い反射率を持ち、同時に可視スペクトル領域の放射に対する最大抑制が保証される。というのも、黒くされたアルマイト層は光を吸収するように作用するからである。ハロゲングローランプは７８０ｎｍより上の波長領域における赤外線放射の形式でそのエネルギの最大部分を送出し、ハロゲングローランプから放出される光は黒くされたアルマイト層によって大きく吸収されるので、可視スペクトル領域の放射はリフレクタでほとんど反射されない。本発明の赤外線ランプは１２００ｎｍ〜２５００ｎｍまでの波長領域の赤外線放射に対して特に効率的に作動する。というのも、黒くされたアルマイト層の反射率はこの波長領域においてほぼ９０％だからである。本発明のリフレクタの反射率を７８０ｎｍ〜１２００ｎｍまでの波長領域において上げるために、このリフレクタはさらに透明な、赤外線を反射する干渉フィルタによってコーティングされる。この干渉フィルタは黒くされたアルマイト層の上に設けられる。
【０００９】
ハロゲングローランプのコイル状フィラメントから発生される光を抑制するために、ハロゲングローランプのランプ容器に有利なやり方でジアテルミー鏡が設けられる。このジアテルミー鏡はコイル状フィラメントから発生される光をランプ容器へと反射し、赤外線放射に対しては透過的である。代替的に、リフレクタ開口部に光不透過性の赤外線透過性カバーが設けられうる。
【実施例１】
【００１０】
次に本発明を有利な実施例に基づいて詳しく説明する。
【００１１】
図１に図示された赤外線ランプは放射源としてほぼ５０ワットの電力消費を有するハロゲングローランプ１を有する。このハロゲングローランプ１は石英ガラスから成る一方の端部を封止されたランプ容器を有する。このランプ容器の内部空間にはタングステンから成るコイル状フィラメント２が設けられており、このコイル状フィラメント２はランプ容器の封止された端部１０から突き出た２つの電流供給線３、４によって電気エネルギを供給される。コイル状フィラメント２を包囲するランプ容器の領域１１はジアテルミー鏡として構成された干渉フィルタ１３によって被覆されており、この干渉フィルタ１３は赤外線放射に対して透過的であり、コイル状フィラメントから発生する光をフィラメント加熱のためにランプ容器内へ反射する。この干渉フィルタ１３はランプ容器のドーム１２に亘っても延在している。
【００１２】
赤外線ランプはさらにシェル形状の、有利には放物面リフレクタ６を有し、このリフレクタ６のベーシックボディ８はアルミニウムから成り、このリフレクタ６のハロゲングローランプ１に向いた内側には黒くされたアルマイト層６１が設けられている。この黒くされたアルマイト層６１はＥｌｏｘａｌアソシエーションの指定によれば色調ＥＶ６を有するアルマイト層である。リフレクタ６はハロゲングローランプ１を包囲している。ハロゲングローランプ１のランプ容器の封止された端部１０はリフレクタネック８０の中に配置されている。
【００１３】
本発明は上記の詳しく説明した実施例に限定されない。リフレクタ６の反射率を改善するために、アルマイト層６１の上に例えば干渉フィルタ６２を塗布することができ、この干渉フィルタ６２が赤外線放射を反射し、光を透過する。ランプ容器のジアテルミー鏡１３の代わりに又はジアテルミー鏡１３に加えて、リフレクタ開口部は光不透過性の赤外線放射を透過するカバーディスク６３によって覆われ、この結果、光の放出が抑制される。
【図面の簡単な説明】
【００１４】
【図１】本発明の有利な実施例の赤外線ランプの部分的に切断された側面図である。
【図２】到達する放射の波長に依存するリフレクタの黒くされたアルマイト層の反射率を示す線図である。
【符号の説明】
【００１５】
１  ハロゲングローランプ
２  コイル状フィラメント
３、４  電流供給線
６  リフレクタ
８  ベーシックボディ
１０  被覆された端部
１１  フィラメントを包囲する領域
１３  干渉フィルタ
６１  アルマイト層
６２  干渉フィルタ
６３  カバーディスク
８０  リフレクタネック
【図１】
2005084677.tif 000003
【図２】
2005084677.tif 000004